【手続補正書】
【提出日】令和1年8月20日(2019.8.20)
【手続補正１】
【補正対象書類名】特許請求の範囲
【補正対象項目名】請求項１
【補正方法】変更
【補正の内容】
【請求項１】
本体枠と、
遊技者の操作により打ち込まれる遊技媒体を進入させる遊技領域を設けてなる遊技盤と、
前記本体枠に対しその前側にて開閉可能となっている前扉と、
ハンドル部材と、
遊技媒体を貯留し得るように前方へ膨出する皿部材と、
当該皿部材を電飾により装飾する皿電飾手段と、
前記前扉の左側部に設けてなる左側電飾部材と、
前記前扉の右側部に設けてなる右側電飾部材とを備えて、
前記右側電飾部材は、前記左側電飾部材よりも前方に膨出し、前記ハンドル部材は、前記右側電飾部材よりも前方へ延出し、かつ、前記皿部材は、前記ハンドル部材よりも前方に膨出しており、
前記左側電飾部材は、前記前扉の左側部に沿い設けてなる第１電飾体と、当該第１電飾体に隣接するように当該第１電飾体とは異なる形状にて前記前扉の前記左側部に設けてなる第２電飾体とを具備しており、
前記右側電飾部材は、前記前扉の右側部に沿い設けてなる第３電飾体と、当該第３電飾体とは異なる形状にて前記前扉の前記右側部に設けてなる第４電飾体とを具備してなる遊技機。
【手続補正２】
【補正対象書類名】特許請求の範囲
【補正対象項目名】請求項２
【補正方法】変更
【補正の内容】
【請求項２】
遊技媒体の入賞に伴い大当たり抽選の結果が大当たりであるとき、大当たり電飾演出を行うように処理する大当たり電飾演出処理手段と、
前記大当たり抽選の結果が外れであるとき行われる外れ演出処理の終了後、所定の客待ち時間の経過に伴い前記大当たり電飾演出に類似した客待ちモード電飾演出を行うように処理する客待ちモード電飾演出処理手段と、
制御手段とを備えており、
当該制御手段は、
前記大当たり電飾演出処理手段による前記大当たり電飾演出の処理に基づき、前記左側電飾部材、前記右側電飾部材及び前記皿電飾手段のうちの少なくとも１つを、前記大当たり電飾演出を行うように制御し、
また、前記客待ちモード電飾演出処理手段による前記客待ちモード電飾演出の処理に基づき、前記左側電飾部材、前記右側電飾部材及び前記皿電飾手段のうちの少なくとも１つを、前記大当たり電飾演出に類似した客待ちモード電飾演出を行うように制御することを特徴とする請求項１に記載の遊技機。
【手続補正３】
【補正対象書類名】明細書
【補正対象項目名】０００６
【補正方法】変更
【補正の内容】
【０００６】
上記課題の解決にあたり、本発明に係る遊技機は、請求項１の記載によれば、
本体枠（Ｂａ）と、
遊技者の操作により打ち込まれる遊技媒体を進入させる遊技領域（１２）を設けてなる遊技盤（Ｂｂ）と、
本体枠に対しその前側にて開閉可能となっている前扉（ＦＤ）と、
ハンドル部材（Ｈａ）と、
遊技媒体を貯留し得るように前方に膨出する皿部材（３９０）と、
皿部材を電飾により装飾する皿電飾手段（３９０ｂ、３９０ｃ）と、
前扉の左側部に設けてなる左側電飾部材（３００ａ）と、
前扉の右側部に設けてなる右側電飾部材（３００ｂ）とを備えて、
右側電飾部材は、左側電飾部材よりも前方に膨出し、ハンドル部材は、右側電飾部材よりも前方へ延出し、かつ、皿部材は、ハンドル部材よりも前方に膨出しており、
左側電飾部材は、前扉の左側部に沿い設けてなる第１電飾体（３１０〜３３０）と、当該第１電飾体に隣接するように当該第１電飾体とは異なる形状にて前扉の上記左側部に設けてなる第２電飾体（ＥＬ）とを具備しており、
右側電飾部材は、前扉の右側部に沿い設けてなる第３電飾体（３４０〜３６０）と、当該第３電飾体とは異なる形状にて前扉の上記右側部に設けてなる第４電飾体（ＥＲ）とを具備してなるものである。
【手続補正４】
【補正対象書類名】明細書
【補正対象項目名】０００７
【補正方法】変更
【補正の内容】
【０００７】
このように、第３及び第４の電飾体を具備する右側電飾部材が、第１及び第２の電飾体を具備する左側電飾部材よりも前方に膨出し、ハンドル部材が、第３及び第４の電飾体を具備する右側電飾部材よりも前方に延出し、かつ、皿部材が、ハンドル部材よりも前方に膨出している。
【手続補正５】
【補正対象書類名】明細書
【補正対象項目名】０００９
【補正方法】変更
【補正の内容】
【０００９】
このような事情から、前扉の左側部位は、皿部材よりも遊技機の後側へ引っ込むように構成されている。これに伴い、左側電飾部材が、皿部材よりも遊技機の後側へ引っ込むように構成される。
【手続補正６】
【補正対象書類名】明細書
【補正対象項目名】００１２
【補正方法】変更
【補正の内容】
【００１２】
そこで、本請求項１に記載の発明では、上述のように、前扉において、第３及び第４の電飾体を具備する右側電飾部材が、第１及び第２の電飾体を具備する左側電飾部材よりも前方に膨出し、ハンドル部材が、第３及び第４の電飾体を具備する右側電飾部材よりも前方に延出し、かつ、皿部材が、ハンドル部材よりも前方に膨出するように構成した。
【手続補正７】
【補正対象書類名】明細書
【補正対象項目名】００１５
【補正方法】変更
【補正の内容】
【００１５】
しかも、上述のように、左側電飾部材において、第１電飾体が、前扉の左側部に沿い設けられるとともに、第２電飾体が、第１電飾体に隣接するように当該第１電飾体とは異なる形状にて前扉の左側部に設けられており、一方、右側電飾部材において、第３電飾体が、前扉の右側部に沿い設けられるとともに、第４電飾体が、当該第３電飾体とは異なる形状にて前扉の上記右側部に設けられている。
【手続補正８】
【補正対象書類名】明細書
【補正対象項目名】００１７
【補正方法】変更
【補正の内容】
【００１７】
また、本発明は、請求項２の記載によれば、請求項１に記載の遊技機において、
遊技媒体の入賞に伴い大当たり抽選の結果が大当たりであるとき大当たり電飾演出を行うように処理する大当たり電飾演出処理手段（２１３２）と、
上記大当たり抽選の結果が外れであるとき行われる外れ演出処理の終了後、所定の客待ち時間の経過に伴い上記大当たり電飾演出に類似した客待ちモード電飾演出を行うように処理する客待ちモード電飾演出処理手段（２１８１）と、
制御手段（５００）とを備えており、
当該制御手段は、
大当たり電飾演出処理手段による上記大当たり電飾演出の処理に基づき、左側電飾部材、右側電飾部材及び皿電飾手段のうちの少なくとも１つを、上記大当たり電飾演出を行うように制御し、
また、客待ちモード電飾演出処理手段による上記客待ちモード電飾演出の処理に基づき、左側電飾部材、右側電飾部材及び皿電飾手段のうちの少なくとも１つを、上記大当たり電飾演出に類似した客待ちモード電飾演出を行うように制御することを特徴とする。
【手続補正９】
【補正対象書類名】明細書
【補正対象項目名】００２０
【補正方法】変更
【補正の内容】
【００２０】
その結果、本請求項２に記載の発明によれば、請求項１に記載の発明の作用効果が達成されるのは勿論のこと、新たな客が、左側電飾部材、右側電飾部材、皿電飾手段の少なくとも１つによる上述した客待ちモード電飾演出の基づき、当該遊技機において既に大当たりの成立により多くの遊技媒体が獲得されているかのように錯覚を起こすこととなり、当該新たな客を当該遊技機による遊技に誘導することが可能となる。
【手続補正１０】
【補正対象書類名】明細書
【補正対象項目名】００２３
【補正方法】変更
【補正の内容】
【００２３】
本発明によれば、第３及び第４の電飾体を有する右側電飾部材が、第１及び第２の電飾体を有する左側電飾部材よりも前方に膨出し、ハンドル部材が、第３及び第４の電飾体を有する右側電飾部材よりも前方に延出し、かつ、皿部材が、ハンドル部材よりも前方に膨出していることから、遊技者は、遊技機の中央の周囲にある左側電飾部材、右側電飾部材、ハンドル部材や皿部材に対しても意識的に眼を向けるようになる。その結果、遊技者が左側電飾部材、右側電飾部材、ハンドル部材及び皿部材を全体として前扉の前側から視認したとき、当該前扉の外観が、高い訴求力でもって強く遊技者の関心を引付け得る。これに伴い、上述した前扉の前側から視認したときの外観が、例えば、遊技者に対し、快適な視認感覚を与え得る。
【手続補正１１】
【補正対象書類名】明細書
【補正対象項目名】００２４
【補正方法】変更
【補正の内容】
【００２４】
しかも、第２電飾体が、第１電飾体とは異なる形状を有するとともに、第４電飾体が、第３電飾体とは異なる形状を有するので、第２電飾体及び第４電飾体が、それぞれ、左側電飾部材及び右側電飾部材において、アクセント的な機能を発揮し得る。その結果、第２電飾体及び第４電飾体は、前扉において、アクセント的な機能の発揮により遊技者に対し斬新な視認感覚を与え得る。